(57)【要約】      （修正有） 【課題】シンプルな構成で、簡単な作業によってネックレスに着脱することができ、また、ネックレスに対する取付け位置や取付け方のバリエーションが多く、ネックレスとしての全体のデザインイメージを多様に変化させることが可能であり、また、ネックレスの長短の長さ調整にも利用可能なネックレス用装飾具を提供する。【解決手段】意匠が施された装飾具本体１に、ネックレスの一部を保持するために対向配置された一対の保持部４ａ，４ｂの少なくとも一方の保持部４ｂを回動可能に支承し、前記回動可能に支承された保持部４ｂに連設された操作部７とばね部材８とによって前記一対の保持部４ａ，４ｂを近接させる方向に付勢して閉状態とするとともに、前記操作部７を前記ばね部材８の付勢力に抗するように操作することで前記一対の保持部４ａ，４ｂ間を開状態とするクリップ部材３を設ける。【選択図】図２
0003179043.tif 000002
【実用新案登録請求の範囲】
【請求項１】
珠玉に形成された貫通孔に糸を通して多数の珠玉を紐状に連ね、環状に連結されたネックレスに附されるネックレス用装飾具であって、意匠が施された装飾具本体に、ネックレスの一部を保持するために対向配置された一対の保持部の少なくとも一方の保持部を回動可能に支承し、前記回動可能に支承された保持部に連設された操作部とばね部材とによって前記一対の保持部を近接させる方向に付勢して閉状態とするとともに、前記操作部を前記ばね部材の付勢力に抗するように操作することで前記一対の保持部間を開状態とするクリップ部材が設けられていることを特徴とするネックレス用装飾具。
【請求項２】
前記一対の保持部間には、前記閉状態において少なくとも１つの珠体を収納あるいは挟持する空間部が形成されるように構成されていることを特徴とする請求項１に記載のネックレス用装飾具。
【請求項３】
前記一対の保持部は、前記閉状態において少なくとも前記糸を遊挿し抱持する環状部が形成されるように構成されていることを特徴とする請求項１に記載のネックレス用装飾具。
【請求項４】
前記ネックレスは、前記糸の一端部に設けた第１の留め具と他端部に設けた第２の留め具とを係合させて環状に連結可能とされており、前記装飾具本体の長手方向における一端側に、前記ネックレスの第１の留め具と係合可能な第１の装飾具側留め具が設けられ、前記装飾具本体の長手方向における他端側に前記ネックレスの第２の留め具と係合可能な第２の装飾具側留め具が設けられていることを特徴とする請求項１乃至請求項３のいずれか１項に記載のネックレス用装飾具。
【請求項５】
前記クリップ部材により、第１および／または第２の装飾具側留め具が構成されていることを特徴とする請求項４に記載のネックレス用装飾具。
【考案の詳細な説明】
【技術分野】
【０００１】
本考案は、ネックレスに装着して用いる装飾具に関する。
【背景技術】
【０００２】
真珠、珊瑚、翡翠、琥珀などの珠玉に貫通孔を設け、この貫通孔に糸を通して多数の玉を紐状に連ね、止め具を用いて環状に連結して使用するネックレスがある。このネックレスは、価格的にも高額なものが多いため、結婚式、葬式、各種パーティ等の比較的あらたまった雰囲気の場面において、フォーマルな装身具として着用するものであり、日常的には着用しにくいというイメージが強い装飾品である。
【０００３】
このようなフォーマルなイメージの強いネックレスを、より気軽に、普段の生活の様々な場面において着用するべく、ネックレスにペンダントヘッドを取付けたり、ネックレスの長さを調整するなどして、ネックレスとしての全体のデザインイメージを変えることがなされている。
【０００４】
例えば、特許文献１には、ネックレスの形状を変化させうるように形成された留め具が開示されている。この留め具は、蓋が開閉自在とされた小容器であって、その両端部に、前記蓋を開いた状態において前記小容器の口縁部に形成された窪みが、前記蓋を閉じた状態において小さな穴となるように形成されており、前記小容器内にネックレスやペンダント等の端部を適当長さで収容し、蓋をして保持するとともに、前記小さな穴からネックレスやチェーン等を延出させることでネックレスとしての長さを調整可能とされ、さらには、該小容器をペンダントヘッドのように吊下させ、ピル入れ等としても使用可能とされている。
【０００５】
また、特許文献２には、前記玉を紐状に連ねた一端部に配設された留め具内に任意の位置の１個の玉を保持することで、ネックレスとしての長さを短く調整する留め具の構造（図１乃至図３参照）や、前記一端部に配設された留め具により隣位する２つの玉の間の連接部を把持することで、ネックレスとしての長さを短く調整する留め具の構造（図４および図５参照）が開示されている。
【０００６】
そして、ネックレスの長さを変えて使用することができる留め具については、本願出願人も従前より、開発を試みている（特許文献３参照）。
【先行技術文献】
【特許文献】
【０００７】
【特許文献１】実開平７−１１５号公報
【特許文献２】特開昭６０−２０７６０６号公報
【特許文献３】特開平９−２９９１１７号公報
【考案の概要】
【考案が解決しようとする課題】
【０００８】
ところで、ネックレスのイメージを変えるべく、該ネックレスに附される装飾具は、ネックレスを首から外すことなく装飾具を着脱することができ、しかもその着脱操作が簡単であることが望ましい。
【０００９】
そこで、本考案のネックレス用装飾具はシンプルな構成で、簡単な作業によってネックレスに着脱することができ、また、ネックレスに対する取付け位置や取付け方のバリエーションが多く、ネックレスとしての全体のデザインイメージを多様に変化させることが可能であり、また、ネックレスの長短の長さ調整にも利用可能なネックレス用装飾具を提供することを目的とする。
【課題を解決するための手段】
【００１０】
本考案の第１の態様のネックレス用装飾具は、珠玉に形成された貫通孔に糸を通して多数の珠玉を紐状に連ね、環状に連結されたネックレスに附されるネックレス用装飾具であって、意匠が施された装飾具本体に、ネックレスの一部を保持するために対向配置された一対の保持部の少なくとも一方の保持部を回動可能に支承し、前記回動可能に支承された保持部に連設された操作部とばね部材とによって前記一対の保持部を近接させる方向に付勢して閉状態とするとともに、前記操作部を前記ばね部材の付勢力に抗するように操作することで前記一対の保持部間を開状態とするクリップ部材が設けられていることを特徴とする。
【００１１】
また、本考案の第２の態様のネックレス用装飾具は、前記一対の保持部間には、前記閉状態において少なくとも１つの珠体を収納あるいは挟持する空間部が形成されるように構成されていることを特徴とする。
【００１２】
さらに、本考案の第３の態様のネックレス用装飾具は、前記一対の保持部は、閉状態において少なくとも前記糸を遊挿し抱持する環状部が形成されるように構成されていることを特徴とする。
【００１３】
そして、本考案の第４の態様のネックレス用装飾具は、前記ネックレスは、前記糸の一端部に設けた第１の留め具と他端部に設けた第２の留め具とを係合させて環状に連結可能とされており、前記装飾具本体の長手方向における一端側に、前記ネックレスの第１の留め具と係合可能な第１の装飾具側留め具が設けられ、前記装飾具本体の長手方向における他端側に前記ネックレスの第２の留め具と係合可能な第２の装飾具側留め具が設けられていることを特徴とする。
【００１４】
さらに、本考案の第５の態様のネックレス用装飾具は、前記クリップ部材により、第１および／または第２の装飾具側留め具が構成されていることを特徴とする。
【考案の効果】
【００１５】
本考案のネックレス用装飾具は、構成がシンプルであり、クリップ部材の簡単な作業でネックレスに対する着脱ができ、取付け位置や取付け方もアレンジ可能であり、さらには、このネックレス用装飾具を用いてネックレスの長さを、短くも、長くも調整することができるので、ネックレスとしての全体のデザインイメージを多様に変化させることができるといった優れた効果を奏する。
【図面の簡単な説明】
【００１６】
【図１】（Ａ）は本実施形態のネックレス用装飾具の正面図であり、（Ｂ）はこのネックレス用装飾具が取付けられるネックレス
【図２】（Ａ）は図１（Ａ）のネックレス用装飾具の閉状態を示す要部側面図であり、（Ｂ）は同じく開状態を示す要部側面図
【図３】図１（Ａ）のネックレス用装飾具の背面図
【図４】本実施形態のネックレス用装飾具をネックレスにペンダントヘッドとして装着した状態を示す参照図
【図５】（Ａ）は一対の保持部にネックレスの糸を保持可能な貫通部が形成されたクリップ部材を有するネックレス用装飾具の装着状態を示す要部断面図、（Ｂ）は一対の保持部に珠玉を保持可能な空間部が形成されたクリップ部材を有するネックレス用装飾具の装着状態を示す要部断面図
【図６】本実施形態のネックレス用装飾具を用い、ネックレスの長さを長く調整した状態を示す参照図
【図７】本実施形態のネックレス用装飾具を用い、ネックレスの長さを短く調整した状態を示す参照図
【考案を実施するための形態】
【００１７】
本実施形態のネックレス用装飾具１は、図１（Ａ）に示すような、珠玉２１に形成された貫通孔（不図示）に糸２２を通して多数の珠玉２１，２１…を紐状に連ね、環状に連結されたネックレス２０に装着されて用いられるものであり、図１（Ｂ）および図２（Ａ）、（Ｂ）、図３等に示すように、花葉、蕾、リボン等をデザインした長片板状の金属パーツに貝、宝石等を配した意匠が施された装飾具本体２と、この装飾具本体２の裏面に固定されたクリップ部材３とから構成されている。
【００１８】
クリップ部材３は、ネックレス２０の一部を保持するために装飾具本体２の表裏方向（厚さ方向）に対向配置された一対の保持部４を有している。本実施形態においては、一方の保持部４ａは、装飾具本体２の裏面に外表面を固着されており、他方の保持部４ｂは装飾具本体２の裏面に形成された軸受５に配設された回動ピン６により回動可能に支承されている。他方の保持部４ｂには、該保持部４ｂの反対方向に延びる操作部７が連設されており、前記回動ピン６に取付けられたばね部材としてのねじりコイルばね８が、常時、操作部７を装飾具本体２から離間させる方向へ押し上げるようにして介装されている。
【００１９】
つまり、クリップ部材３は、ねじりコイルばね８によって一対の保持部４ａ，４ｂ間を常時閉状態とするように付勢し、他方の保持部４ｂに連接された操作部７をねじりコイルばね８の付勢力に抗するようにクリップ（抓む）することで、他方の保持部４ｂを回動ピン６を回動軸として回動させ、一対の保持部４ａ、４ｂ間を離間させて開状態とするように構成されている。
【００２０】
このように構成されたネックレス用装飾具１は、珠玉２１に形成された貫通孔（不図示）に糸２２を通して多数の珠玉２１，２１…を紐状に連ね、環状に連結されたネックレス２０に対し、クリップ部材３を開閉させることで、ペンダントヘッドとして簡単に着脱させることができる（図４参照）。
【００２１】
クリップ部材３は、図５（Ａ）に示すように、一対の保持部４ａ，４ｂを、クリップ部材３の閉状態において少なくとも糸２２を遊挿し抱持する貫通部９が形成されるように形成してもよい。貫通部３の貫通方向に対する表裏面は、ネックレス２０の珠玉２１の形状に沿うように凹形球面形状に形成すると、ネックレスへの装着時に珠玉に当たることを回避しつつ、糸２２のみを貫通部９内に抱持することができる。また、閉状態において当接する一対の保持部４ａ、４ｂの先端部側にはそれぞれにピン１０とこのピン１０を嵌合させるピン穴１１を形成し、クリップ部材３の閉状態における係合を強固なものとしてもよい。
【００２２】
このような貫通部９が形成されたクリップ部材３を備えたネックレス用装飾具１は、他方の保持部４ｂに連接された操作部７を前記ねじりコイルばね８の付勢力に抗するようにクリップし、他方の保持部４ｂを回動ピン６を回転軸として回動させ、一対の保持部４ａ，４ｂ間を離間させて開状態とし、貫通部９内にネックレス２０（珠玉２１あるいは糸２２）を位置させる。そして、クリップ操作を解除し、ねじりコイルばね８によって一対の保持部４ａ，４ｂを閉状態に付勢することで、貫通部９内にネックレス（珠玉２１あるいは糸２２）を貫通させた状態でネックレス２０に取付けることができる。すなわち、貫通部９が大径のものであれば、ネックレス２０を珠玉２１ごと挿通させればよい。また、貫通部９がさほど大径でない場合であっても、例えば、前述のように、貫通部９の貫通方向に対する前後面にネックレスの珠玉の形状に沿う凹形球面形状を形成し、一対の保持部４ａ，４ｂを隣位の珠玉２１間に位置させ、糸２２のみを貫通部９に貫通させた状態でネックレス２０に取付けることができる。
【００２３】
また、クリップ部材３は、図５（Ｂ）に示すように、一対の保持部４ａ，４ｂの対向面を凹形球面形状の内周面として形成し、クリップ部材３の閉状態においてネックレス２０の少なくとも１つの珠玉２１を収納あるいは挟持する空間部１２を形成してもよい、
【００２４】
そのような空間部１２が形成されたクリップ部材３を備えたネックレス用装飾具１は、他方の保持部４ｂに連接された操作部７をねじりコイルばね８の付勢力に抗するようにクリップし、他方の保持部４ｂを回動ピン６を回動軸として回動させ、一対の保持部４ａ，４ｂを離間させて開状態とし、空間部１２内にネックレス２０の所望の珠玉２１を位置させる。そして、クリップ操作を解除し、ねじりコイルばね８によって一対の保持部４ａ，４ｂを閉状態となるように付勢することで、空間部１２内に所望の珠玉２１を収納あるいは挟持して、ネックレス２０に取付けることができる。  
【００２５】
また、図１（Ｂ）に示すような、珠玉２１に形成された貫通孔に糸２２を通して多数の珠玉を紐状に連ね、その一端部に設けた第１の留め具２３と他端部に設けた第２の留め具２４とを係合させて環状に連結可能とされたネックレス２０に取付けられることが前提となるネックレス用装飾具１においては、装飾具本体２に、前述のクリップ部材３の他、さらに、装飾具本体２の長手方向における一端側には、ネックレス２０の第１の留め具２３と係合可能な第１の装飾具側留め具１３が設けられ、装飾具本体２の長手方向における他端側には、ネックレス２０の第２の留め具２４と係合可能な第２の装飾具側留め具１４を設けてもよい。
【００２６】
このように装飾具側留め具１３，１４が設けられたネックレス用装飾具１は、第１の留め具２３と第１の装飾具側留め具１３とを係合させ、かつ、第２の留め具２４と第２の装飾具側留め具１４とを係合させて、ネックレス２０の両端部間に連結することにより、ネックレス２０をネックレス用装飾具１の略長さ分ほど、ネックレス２０の所定長より長く調整することができる。
【００２７】
また、第１の留め具２３と第１の装飾具側留め具１３とを係合させるか、あるいは、第２の留め具２４と第２の装飾具側留め具１４とを係合させてネックレス２０のいずれかの端部にネックレス用装飾具１を連結するとともに、ネックレス用装飾具１の一対の保持部４ａ，４ｂにより、ネックレス２０を所望の位置において保持する。これにより、ネックレス２０をネックレス２０の所定長より短く、所望の長さに調整することができる。
【００２８】
ネックレス２０の糸端部に係止される一対の留め具２３，２４としては、いろいろなタイプの留め具があり、本考案においては限るものではないが、一端側の留め具として、丸カン、板だるま等と称されるような、係止孔を有する係止金具が設けられ、他端側の留め具として、ヒキワ、カニカン等と称される、前記係止孔に係止させる爪部材を開閉可能とされた係止金具が一対として設けられた場合、これらの留め具を係止させるネックレス用装飾具１の第１の装飾具側留め具２３や第２の装飾具側留め具２４として、前述のクリップ部材３の一対の保持部４ａ，４ｂを利用することができる。
【００２９】
図２および図３に示すネックレス用装飾具１は、このようなネックレス用装飾具の第１の装飾具側留め具１３や第２の装飾具側留め具１４として、クリップ部材３の一対の保持部４ａ，４ｂを利用した具体例である。
【００３０】
すなわち、ネックレス２０には係止孔を有する係止金具からなる第１の留め具２３と、爪部材を開閉可能とされた係止金具からなる第２の留め具２４が設けられており、ネックレス用装飾具１の装飾具本体２には、第１の装飾具側留め具２３としてのクリップ部材３と、係止リングからなる第２の装飾具側留め具１４とが設けられている。
【００３１】
このような第１の装飾具側留め具２３としてクリップ部材３を用いたネックレス用装飾具１は、第２の留め具２４を第２の装飾具側留め具１４とを係合させてネックレス２０の一端部にネックレス用装飾具１を連結し、ネックレス用装飾具１の一対の保持部４ａ，４ｂを備える第１の装飾用留め具１３を、ネックレス２０の所望の位置において係止させるようにする。
【００３２】
例えば、クリップ部材３の一対の保持部４ａ，４ｂにより、ネックレス２０の第１の留め具２３の係止孔に係止させれば、ネックレス２０は、長さが、ネックレス用装飾具１の略長さ分ほど、該ネックレス２０の所定長より長く調整される。ネックレス用装飾具１を首の後に位置させて着用すれば、通常よりも長めに調整されたネックレス２０’となる（図６参照）。また、ネックレス用調整具１を前下に位置させて着用すれば、ネックレス用装飾具１の意匠が環状の一部を構成したデザインネックレス２０’となる（図６を上下反転させて参照）。
【００３３】
また、クリップ部材３の一対の保持部４ａ，４ｂにより、ネックレス２０を所望の位置において保持することにより、ネックレス２０は、ネックレス２０の所定長より短く、所望の長さに調整される。ネックレス用装飾具１を首の後に位置させて着用すれば、通常よりも短く調整されたネックレス２０’となる（図７参照）。さらに、ネックレス用調整具を前下に位置させるようにして着用すれば、ネックレス用装飾具１の意匠がポイントとなるデザインネックレス２０’となる（図７を上下反転させて参照）。
【００３４】
なお、本考案は、前述の実施の形態や実施例に限定されるものではなく、必要の応じて種々の変更が可能である。
【符号の説明】
【００３５】
１  ネックレス用装飾具
２  装飾具本体
３  クリップ部材
４  保持部
５  軸受
６  回動ピン
７  操作部
８  ねじりコイルばね
９  貫通部  
１０  ピン
１１  ピン穴
１２  空間部
１３  第１の装飾具側留め具
１４  第２の装飾具側留め具
２０  ネックレス
２１  珠玉  
２２  糸
２３  第１の留め具
２４  第２の留め具
【図１】
0003179043.tif 000003
【図２】
0003179043.tif 000004
【図３】
0003179043.tif 000005
【図４】
0003179043.tif 000006
【図５】
0003179043.tif 000007
【図６】
0003179043.tif 000008
【図７】
0003179043.tif 000009